(57)【要約】【課題】元原稿画像情報の校正を紙原稿上で行った場合における利用者の意図を元原稿画像情報に反映させ、紙原稿から元原稿画像情報に対する情報付加または削除の利便性を向上させる。【解決手段】元原稿画像情報の校正を紙原稿上で行った場合の原稿画像情報と元原稿画像情報との差分をとることにより取得された加筆情報の原稿画像情報上の位置に基づいて処理対象となる画像構成ブロックを選択し（Ｓ１〜Ｓ５）、選択された１つまたは複数の処理対象となる画像構成ブロックに対応付けられている設定処理項目を処理候補として提示し（Ｓ６）、提示された設定処理項目から一の設定処理項目の選択を受け付け（Ｓ７）、選択された設定処理項目に従って元原稿画像情報の処理対象となる画像構成ブロックを加工する（Ｓ８）。これにより、紙原稿から元原稿画像情報に対する情報付加または削除の利便性を向上させることができる。【選択図】        図４
2008236249.tif 000002
【特許請求の範囲】
【請求項１】
元原稿画像情報および当該元原稿画像情報の格納位置を示すリンク情報が印刷された原稿についての原稿画像情報を生成する原稿画像情報生成手段と、
前記原稿画像情報の前記リンク情報に従って、前記元原稿画像情報を取得する元原稿情報取得手段と、
前記元原稿画像情報の画像構成を定義する画像構成ブロックを解析する画像内容解析手段と、
前記各画像構成ブロックに対して処理可能な１つまたは複数の設定処理項目を記憶した設定記憶手段と、
前記原稿画像情報と前記元原稿画像情報との差分をとることにより加筆情報を取得する加筆情報取得手段と、
前記加筆情報の前記原稿画像情報上の位置に基づいて処理対象となる前記画像構成ブロックを選択する処理対象ブロック選択手段と、
前記処理対象ブロック選択手段で選択された１つまたは複数の処理対象となる画像構成ブロックに対応付けられている設定処理項目を前記設定記憶手段から取得して処理候補として提示する候補提示手段と、
前記候補提示手段により提示された前記設定処理項目から一の前記設定処理項目の選択を受け付ける選択受付手段と、
選択された前記設定処理項目に従って前記元原稿画像情報の処理対象となる前記画像構成ブロックを加工する画像加工手段と、
を備えることを特徴とする画像処理装置。
【請求項２】
前記設定記憶手段は、前記各設定処理項目が過去に選択された回数である処理スコアを前記各設定処理項目に対応付けて記憶し、
前記候補提示手段は、前記処理対象ブロック選択手段で選択された１つまたは複数の処理対象となる画像構成ブロックに対応付けられている設定処理項目を前記設定記憶手段から取得して前記処理スコアの大きいものから順に並べ替えて処理候補として提示する、
ことを特徴とする請求項１記載の画像処理装置。
【請求項３】
前記設定記憶手段は、前記各設定処理項目が過去に選択された順番を前記各設定処理項目に対応付けて記憶し、
前記候補提示手段は、前記処理対象ブロック選択手段で選択された１つまたは複数の処理対象となる画像構成ブロックに対応付けられている設定処理項目を前記設定記憶手段から取得して選択順番が新しいものから順に並べ替えて処理候補として提示する、
ことを特徴とする請求項１記載の画像処理装置。
【請求項４】
元原稿画像情報および当該元原稿画像情報の格納位置を示すリンク情報が印刷された原稿についての原稿画像情報を生成する原稿画像情報生成機能と、
前記原稿画像情報の前記リンク情報に従って、前記元原稿画像情報を取得する元原稿情報取得機能と、
前記元原稿画像情報の画像構成を定義する画像構成ブロックを解析する画像内容解析機能と、
前記各画像構成ブロックに対して処理可能な１つまたは複数の設定処理項目を記憶部に記憶した設定記憶機能と、
前記原稿画像情報と前記元原稿画像情報との差分をとることにより加筆情報を取得する加筆情報取得機能と、
前記加筆情報の前記原稿画像情報上の位置に基づいて処理対象となる前記画像構成ブロックを選択する処理対象ブロック選択機能と、
前記処理対象ブロック選択機能で選択された１つまたは複数の処理対象となる画像構成
ブロックに対応付けられている設定処理項目を前記記憶部から取得して処理候補として表示部に表示する候補表示機能と、
前記候補表示機能により表示された前記設定処理項目から一の前記設定処理項目の選択を受け付ける選択受付機能と、
選択された前記設定処理項目に従って前記元原稿画像情報の処理対象となる前記画像構成ブロックを加工する画像加工機能と、
をコンピュータに実行させることを特徴とするプログラム。
【請求項５】
前記設定記憶機能は、前記各設定処理項目が過去に選択された回数である処理スコアを前記各設定処理項目に対応付けて前記記憶部に記憶し、
前記候補表示機能は、前記処理対象ブロック選択機能で選択された１つまたは複数の処理対象となる画像構成ブロックに対応付けられている設定処理項目を前記記憶部から取得して前記処理スコアの大きいものから順に並べ替えて処理候補として表示する、
ことを特徴とする請求項４記載のプログラム。
【請求項６】
前記設定記憶機能は、前記各設定処理項目が過去に選択された順番を前記各設定処理項目に対応付けて前記記憶部に記憶し、
前記候補表示機能は、前記処理対象ブロック選択機能で選択された１つまたは複数の処理対象となる画像構成ブロックに対応付けられている設定処理項目を前記記憶部から取得して選択順番が新しいものから順に並べ替えて処理候補として表示する、
ことを特徴とする請求項４記載のプログラム。
【請求項７】
元原稿画像情報および当該元原稿画像情報の格納位置を示すリンク情報が印刷された原稿についての原稿画像情報を生成する原稿画像情報生成工程と、
前記原稿画像情報の前記リンク情報に従って、前記元原稿画像情報を取得する元原稿情報取得工程と、
前記元原稿画像情報の画像構成を定義する画像構成ブロックを解析する画像内容解析工程と、
前記各画像構成ブロックに対して処理可能な１つまたは複数の設定処理項目を記憶部に記憶した設定記憶工程と、
前記原稿画像情報と前記元原稿画像情報との差分をとることにより加筆情報を取得する加筆情報取得工程と、
前記加筆情報の前記原稿画像情報上の位置に基づいて処理対象となる前記画像構成ブロックを選択する処理対象ブロック選択工程と、
前記処理対象ブロック選択工程で選択された１つまたは複数の処理対象となる画像構成ブロックに対応付けられている設定処理項目を前記記憶部から取得して処理候補として表示部に表示する候補表示工程と、
前記候補表示工程により表示された前記設定処理項目から一の前記設定処理項目の選択を受け付ける選択受付工程と、
選択された前記設定処理項目に従って前記元原稿画像情報の処理対象となる前記画像構成ブロックを加工する画像加工工程と、
を含むことを特徴とする画像処理方法。
【請求項８】
前記設定記憶工程は、前記各設定処理項目が過去に選択された回数である処理スコアを前記各設定処理項目に対応付けて前記記憶部に記憶し、
前記候補表示工程は、前記処理対象ブロック選択工程で選択された１つまたは複数の処理対象となる画像構成ブロックに対応付けられている設定処理項目を前記記憶部から取得して前記処理スコアの大きいものから順に並べ替えて処理候補として表示する、
ことを特徴とする請求項７記載の画像処理方法。
【請求項９】
前記設定記憶工程は、前記各設定処理項目が過去に選択された順番を前記各設定処理項目に対応付けて前記記憶部に記憶し、
前記候補表示工程は、前記処理対象ブロック選択工程で選択された１つまたは複数の処理対象となる画像構成ブロックに対応付けられている設定処理項目を前記記憶部から取得して選択順番が新しいものから順に並べ替えて処理候補として表示する、
ことを特徴とする請求項７記載の画像処理方法。
【発明の詳細な説明】
【技術分野】
【０００１】
本発明は、画像処理装置、プログラムおよび画像処理方法に関する。
【背景技術】
【０００２】
近年、原稿画像を読み取るスキャナ、スキャナで読み取った原稿画像を印刷する複写機、外部機器から入力された画像データを印刷するプリンタやファクシミリ装置、あるいは、これらの機能を兼ね備えたいわゆるＭＦＰ（Multi Function Peripheral）と称される
複合機が用いられている。
【０００３】
この種の複合機にあっては、読み取ったコピーやファクシミリの原稿および外部機器から入力された画像データをＨＤＤ（Hard Disk Drive）に蓄積しておき、必要に応じて再
出力や再送信することができるドキュメントボックス機能を搭載しているものがある。このようなドキュメントボックス機能によれば、作業効率を大幅に向上することができるとともに、ペーパーレスを実現することができる。
【０００４】
ところで、複合機のドキュメントボックス機能において原稿の校正を行なう場合には、原稿校正のためにＨＤＤ内の画像データを紙に出力し、そこに校正内容を手書きで加筆する、という手順を経ることになる。この場合、紙上で加筆した校正内容は、元の画像データに対して手作業で反映させることになる。紙に印刷された情報と電子データとして保存されている情報とでは、その使い勝手が異なるものとなっている。紙に書かれている情報は、紙と筆記用具があれば、利用場所の制限が少なく、多くの場所で参照や追加修正作業をおこなうことができる。しかし、電子データの場合は、それを扱うための電子装置が必要である。また、場合によっては電源が必要な場合もあり、使用場所が制限される場合がある。しかしながら、修正や編集という機能は優れている。ただし、使用する電子機器に精通していないと複雑な編集は難しい場合もある。
【０００５】
そこで、このような問題を解決するために、紙原稿への加筆内容から利用者が付加あるいは置換しようとしている情報を読み取り元の画像データに反映することで、画像データへの情報付加・置換の利便性を向上させることができるようにした技術が提案されている（例えば、特許文献１参照）。
【０００６】
特許文献１に記載の技術は、編集作業を容易にするために、原稿となる画像データを表示しておき、その画面にスタイラスペン等で手書き入力を行って編集作業を行うものである。より具体的には、特許文献１には、あらかじめ登録している編集記号に近いものをコマンドとして認識し、追加分を仮名漢字変換で入力可能にする技術が記載されている。このように特許文献１によれば、従来から紙原稿で用いられてきた編集記号を電子機器の表示画面を用いて作業できるようになっている。
【０００７】
【特許文献１】特許第３３９８９８１号公報
【発明の開示】
【発明が解決しようとする課題】
【０００８】
しかしながら、特許文献１に記載の技術によれば、編集指示用の命令は、登録しているいくつかの命令に制限されている。また、編集対象領域を指示するにも制限がある。
【０００９】
本発明は、上記に鑑みてなされたものであって、元原稿画像情報の校正を紙原稿上で行った場合における利用者の意図を元原稿画像情報に反映させることができ、紙原稿から元
原稿画像情報に対する情報付加または削除の利便性を向上させることができる画像処理装置、プログラムおよび画像処理方法を提供することを目的とする。
【課題を解決するための手段】
【００１０】
上述した課題を解決し、目的を達成するために、請求項１にかかる発明の画像処理装置は、元原稿画像情報および当該元原稿画像情報の格納位置を示すリンク情報が印刷された原稿についての原稿画像情報を生成する原稿画像情報生成手段と、前記原稿画像情報の前記リンク情報に従って、前記元原稿画像情報を取得する元原稿情報取得手段と、前記元原稿画像情報の画像構成を定義する画像構成ブロックを解析する画像内容解析手段と、前記各画像構成ブロックに対して処理可能な１つまたは複数の設定処理項目を記憶した設定記憶手段と、前記原稿画像情報と前記元原稿画像情報との差分をとることにより加筆情報を取得する加筆情報取得手段と、前記加筆情報の前記原稿画像情報上の位置に基づいて処理対象となる前記画像構成ブロックを選択する処理対象ブロック選択手段と、前記処理対象ブロック選択手段で選択された１つまたは複数の処理対象となる画像構成ブロックに対応付けられている設定処理項目を前記設定記憶手段から取得して処理候補として提示する候補提示手段と、前記候補提示手段により提示された前記設定処理項目から一の前記設定処理項目の選択を受け付ける選択受付手段と、選択された前記設定処理項目に従って前記元原稿画像情報の処理対象となる前記画像構成ブロックを加工する画像加工手段と、を備える。
【００１１】
また、請求項２にかかる発明は、請求項１記載の画像処理装置において、前記設定記憶手段は、前記各設定処理項目が過去に選択された回数である処理スコアを前記各設定処理項目に対応付けて記憶し、前記候補提示手段は、前記処理対象ブロック選択手段で選択された１つまたは複数の処理対象となる画像構成ブロックに対応付けられている設定処理項目を前記設定記憶手段から取得して前記処理スコアの大きいものから順に並べ替えて処理候補として提示する。
【００１２】
また、請求項３にかかる発明は、請求項１記載の画像処理装置において、前記設定記憶手段は、前記各設定処理項目が過去に選択された順番を前記各設定処理項目に対応付けて記憶し、前記候補提示手段は、前記処理対象ブロック選択手段で選択された１つまたは複数の処理対象となる画像構成ブロックに対応付けられている設定処理項目を前記設定記憶手段から取得して選択順番が新しいものから順に並べ替えて処理候補として提示する。
【００１３】
また、請求項４にかかる発明のプログラムは、元原稿画像情報および当該元原稿画像情報の格納位置を示すリンク情報が印刷された原稿についての原稿画像情報を生成する原稿画像情報生成機能と、前記原稿画像情報の前記リンク情報に従って、前記元原稿画像情報を取得する元原稿情報取得機能と、前記元原稿画像情報の画像構成を定義する画像構成ブロックを解析する画像内容解析機能と、前記各画像構成ブロックに対して処理可能な１つまたは複数の設定処理項目を記憶部に記憶した設定記憶機能と、前記原稿画像情報と前記元原稿画像情報との差分をとることにより加筆情報を取得する加筆情報取得機能と、前記加筆情報の前記原稿画像情報上の位置に基づいて処理対象となる前記画像構成ブロックを選択する処理対象ブロック選択機能と、前記処理対象ブロック選択機能で選択された１つまたは複数の処理対象となる画像構成ブロックに対応付けられている設定処理項目を前記記憶部から取得して処理候補として表示部に表示する候補表示機能と、前記候補表示機能により表示された前記設定処理項目から一の前記設定処理項目の選択を受け付ける選択受付機能と、選択された前記設定処理項目に従って前記元原稿画像情報の処理対象となる前記画像構成ブロックを加工する画像加工機能と、をコンピュータに実行させる。
【００１４】
また、請求項５にかかる発明は、請求項４記載のプログラムにおいて、前記設定記憶機能は、前記各設定処理項目が過去に選択された回数である処理スコアを前記各設定処理項
目に対応付けて前記記憶部に記憶し、前記候補表示機能は、前記処理対象ブロック選択機能で選択された１つまたは複数の処理対象となる画像構成ブロックに対応付けられている設定処理項目を前記記憶部から取得して前記処理スコアの大きいものから順に並べ替えて処理候補として表示する。
【００１５】
また、請求項６にかかる発明は、請求項４記載のプログラムにおいて、前記設定記憶機能は、前記各設定処理項目が過去に選択された順番を前記各設定処理項目に対応付けて前記記憶部に記憶し、前記候補表示機能は、前記処理対象ブロック選択機能で選択された１つまたは複数の処理対象となる画像構成ブロックに対応付けられている設定処理項目を前記記憶部から取得して選択順番が新しいものから順に並べ替えて処理候補として表示する。
【００１６】
また、請求項７にかかる発明の画像処理方法は、元原稿画像情報および当該元原稿画像情報の格納位置を示すリンク情報が印刷された原稿についての原稿画像情報を生成する原稿画像情報生成工程と、前記原稿画像情報の前記リンク情報に従って、前記元原稿画像情報を取得する元原稿情報取得工程と、前記元原稿画像情報の画像構成を定義する画像構成ブロックを解析する画像内容解析工程と、前記各画像構成ブロックに対して処理可能な１つまたは複数の設定処理項目を記憶部に記憶した設定記憶工程と、前記原稿画像情報と前記元原稿画像情報との差分をとることにより加筆情報を取得する加筆情報取得工程と、前記加筆情報の前記原稿画像情報上の位置に基づいて処理対象となる前記画像構成ブロックを選択する処理対象ブロック選択工程と、前記処理対象ブロック選択工程で選択された１つまたは複数の処理対象となる画像構成ブロックに対応付けられている設定処理項目を前記記憶部から取得して処理候補として表示部に表示する候補表示工程と、前記候補表示工程により表示された前記設定処理項目から一の前記設定処理項目の選択を受け付ける選択受付工程と、選択された前記設定処理項目に従って前記元原稿画像情報の処理対象となる前記画像構成ブロックを加工する画像加工工程と、を含む。
【００１７】
また、請求項８にかかる発明は、請求項７記載の画像処理方法において、前記設定記憶工程は、前記各設定処理項目が過去に選択された回数である処理スコアを前記各設定処理項目に対応付けて前記記憶部に記憶し、前記候補表示工程は、前記処理対象ブロック選択工程で選択された１つまたは複数の処理対象となる画像構成ブロックに対応付けられている設定処理項目を前記記憶部から取得して前記処理スコアの大きいものから順に並べ替えて処理候補として表示する。
【００１８】
また、請求項９にかかる発明は、請求項７記載の画像処理方法において、前記設定記憶工程は、前記各設定処理項目が過去に選択された順番を前記各設定処理項目に対応付けて前記記憶部に記憶し、前記候補表示工程は、前記処理対象ブロック選択工程で選択された１つまたは複数の処理対象となる画像構成ブロックに対応付けられている設定処理項目を前記記憶部から取得して選択順番が新しいものから順に並べ替えて処理候補として表示する。
【発明の効果】
【００１９】
請求項１，４，７にかかる発明によれば、元原稿画像情報の校正を紙原稿上で行った場合の原稿画像情報と元原稿画像情報との差分をとることにより取得された加筆情報の原稿画像情報上の位置に基づいて処理対象となる画像構成ブロックを選択し、選択された１つまたは複数の処理対象となる画像構成ブロックに対応付けられている設定処理項目を処理候補として提示し、提示された設定処理項目から一の設定処理項目の選択を受け付け、選択された設定処理項目に従って元原稿画像情報の処理対象となる画像構成ブロックを加工することにより、元原稿画像情報の校正を紙原稿上で行った場合における利用者の意図を元原稿画像情報に反映させることができるようになるので、紙原稿から元原稿画像情報に
対する情報付加または削除の利便性を向上させることができる、という効果を奏する。
【００２０】
また、請求項２，５，８にかかる発明によれば、処理対象となる画像構成ブロックに対応付けられている設定処理項目を、各設定処理項目が過去に選択された回数である処理スコアの大きいものから順に並べ替えて処理候補として表示することにより、同一の画像構成ブロックに対しては同じような処理が施されることが多いと考えられるので、処理スコアの大きいものをすぐに選択することができるようにすることで操作者による選択が容易になる、という効果を奏する。
【００２１】
また、請求項３，６，９にかかる発明によれば、処理対象となる画像構成ブロックに対応付けられている設定処理項目を選択順番が新しいものから順に並べ替えて処理候補として表示することにより、同一の画像構成ブロックに対しては同じような処理が施されることが多いと考えられるので、選択順番が新しいものをすぐに選択することができるようにすることで操作者による選択が容易になる、という効果を奏する。
【発明を実施するための最良の形態】
【００２２】
以下に添付図面を参照して、この発明にかかる画像処理装置、プログラムおよび画像処理方法の最良な実施の形態を詳細に説明する。
【００２３】
本発明の実施の一形態を図１ないし図１２に基づいて説明する。本実施の形態は画像処理装置として、コピー機能、ファクシミリ（ＦＡＸ）機能、プリント機能、スキャナ機能および入力画像（スキャナ機能による読み取り原稿画像やプリンタあるいはＦＡＸ機能により入力された画像）を配信する機能等を複合したいわゆるＭＦＰ（Multi Function Peripheral）と称されるカラーデジタル複合機を適用した例である。
【００２４】
図１は、本発明の実施の一形態にかかるカラーデジタル複合機１０００を概略的に示す構成図である。本実施の形態にかかるカラーデジタル複合機１０００は、後処理装置であるフィニシャ１００と画像読取装置であるスキャナ部２００と画像印刷装置であるプリンタ部３００とで構成されている。
【００２５】
本実施の形態にかかるカラーデジタル複合機１０００は、操作部４００（図２参照）のアプリケーション切り替えキーにより、ドキュメントボックス機能、複写機能、プリンタ機能、およびファクシミリ機能を順次に切り替えて選択することが可能となっている。ドキュメントボックス機能の選択時にはドキュメントボックスモードとなり、複写機能の選択時には複写モードとなり、プリンタ機能の選択時にはプリンタモードとなり、ファクシミリモードの選択時にはファクシミリモードとなる。ここでは、複写モードにおける画像形成の流れを例に挙げ、図１を参照して説明する。
【００２６】
まず、カラーデジタル複合機１０００のスキャナ部２００について説明する。スキャナ部２００は、概略的には、自動原稿送り装置（以後、ＡＤＦ（Auto Document Feeder）という。）１と読み取りユニット５０とで構成されている。
【００２７】
ＡＤＦ１の原稿台２に原稿の画像面を上にして置かれた原稿束は、操作部４００上のプリントキー（図示せず）が押下されると、一番下の原稿から給送ローラ３、給送ベルト４によってコンタクトガラス６上の所定の位置に給送される。なお、カラーデジタル複合機１０００は、１枚の原稿をコンタクトガラス６上の所定の位置に給送完了する毎に原稿枚数をカウントアップするカウント機能を有している。
【００２８】
コンタクトガラス６上の所定の位置に給送された原稿は、読み取りユニット５０によって画像データを読み取られる。
【００２９】
ここで、読み取りユニット５０について詳述する。読み取りユニット５０は、原稿を載置するコンタクトガラス６と光学走査系で構成されている。光学走査系は、照明手段である露光ランプ５１、第１ミラー５２、レンズ５３、ＣＣＤイメージセンサ５４等で構成されている。露光ランプ５１および第１ミラー５２は、図示しない第１キャリッジ上に固定され、第２ミラー５５および第３ミラー５６は、図示しない第１キャリッジ上に固定されている。この光学走査系は、スキャナ駆動モータ（図示せず）にて駆動される。読み取りユニット５０は、コンタクトガラス６上に原稿が搭載された場合に、露光ランプ５１を点灯し、走行体である第１キャリッジおよび第２キャリッジをスキャナ駆動モータにより右方向に移動走査して原稿を読み取る読み取り方式と、露光ランプ５１を点灯し、第１キャリッジおよび第２キャリッジは停止した状態のまま、ＡＤＦ１によって搬送される原稿を読み取る読み取り方式が選択可能である。第１キャリッジおよび第２キャリッジをスキャナ駆動モータにより右方向に移動走査して原稿を読み取る読み取り方式の場合には、原稿像を読み取るときには、光路長が変わらないように、第１キャリッジと第２キャリッジとが２対１の相対速度で副走査方向に機械的に走査される。原稿画像は、ＣＣＤイメージセンサ５４によって読み取られ、電気信号に変換されて出力される。ＣＣＤイメージセンサ５４からの出力信号は、ＡＤコンバータによりデジタルデータ（画像データ）に変換される。
【００３０】
デジタルデータに変換された原稿画像情報は、例えばプリンタ部３００に送られてプリント出力として画像情報の出力が行なわれる場合や、あるいは記憶装置（例えば、図２に示すＨＤＤ１１１８）に送られて記憶される場合等、種々あり、各々のスキャナ部２００の情報として使用されている。記憶装置（例えば、図２に示すＨＤＤ１１１８）に記憶された原稿画像情報は、ドキュメントボックスモードにおいて、再出力などが可能になっている。このようなドキュメントボックス機能によれば、作業効率を大幅に向上することができるとともに、ペーパーレスを実現することができる。
【００３１】
読み取りユニット５０によって画像データの読み取りが終了した原稿は、給送ベルト４および排送ローラ５によって排出される。
【００３２】
さらに、原稿セット検知７にて原稿台２に次の原稿が有ることを検知した場合、前原稿と同様に、次の原稿がコンタクトガラス６上に給送される。
【００３３】
上述した給送ローラ３、給送ベルト４、排送ローラ５は、それぞれ搬送モータ（図示せず）によって駆動される。
【００３４】
次に、カラーデジタル複合機１０００のプリンタ部３００について説明する。プリンタ部３００は、概略的には、作像ステーション７０と定着ユニット１７と給紙部８０と両面給紙ユニット１１１とで構成されている。
【００３５】
作像ステーション７０は、電子写真方式で作像するものであり、書き込みユニット５７と、タンデム方式の４つのドラム状の感光体１５と、感光体１５毎に設けられていてシアン（Ｃ）、マゼンタ（Ｍ）、イエロー（Ｙ）、ブラック（Ｋ）の各色に対応した現像ユニット１９と、各感光体１５上に形成された画像がそれぞれの転写位置で転写紙Ｐ上に順次転写されるように用紙を搬送するベルト状の搬送ベルト１６とを主体として構成されている。
【００３６】
給紙部８０は、第１トレイ８と第２トレイ９と第３トレイ１０と第１給紙装置１１と第２給紙装置１２と第３給紙装置１３と縦搬送ユニット１４とにより構成されている。第１トレイ８、第２トレイ９、第３トレイ１０に積載された転写紙Ｐは、各々第１給紙装置１
１、第２給紙装置１２、第３給紙装置１３によって給紙され、縦搬送ユニット１４によって搬送方向上流側に位置する感光体１５に当接する位置まで搬送される。
【００３７】
読み取りユニット５０にて読み込まれた画像データは、書き込みユニット５７から出力されるレーザビームによって各感光体１５に書き込まれ、各現像ユニット１９を通過することによってトナー像が形成される。書き込みユニット５７は、レーザ出力ユニット５８、結像レンズ５９、ミラー６０で構成され、レーザ出力ユニット５８の内部には、レーザ光源であるレーザダイオードおよびモータによって高速で定速回転する多角形ミラー（ポリゴンミラー）が備わっている。なお、特に図示しないが、各感光体１５の一端近傍のレーザビームを照射される位置に、主走査同期信号を発生するビームセンサが配置されている。
【００３８】
各感光体１５上の各色のトナー像は、各感光体１５の回転と等速で搬送ベルト１６によって搬送される転写紙Ｐ上に転写されることにより、転写紙Ｐ上にカラー画像が形成される。その後、定着ユニット１７に搬送されて画像を定着された転写紙Ｐは、排紙ユニット１８によって後処理装置であるフィニシャ１００に排出される。
【００３９】
後処理装置のフィニシャ１００は、排紙ユニット１８の排紙ローラ１８ａによって搬送された転写紙Ｐを、通常排紙ローラ１０２方向とステープル処理部方向へと切り替えて導くことができる。より詳細には、後処理装置であるフィニシャ１００は、切り替え板１０１を上に切り替えることにより、搬送ローラ１０３を経由して通常の排紙トレイ１０４側に転写紙Ｐを排紙することができ、切り替え板１０１を下方向に切り替えることで、搬送ローラ１０５、１０７を経由して、ステープル台１０８に転写紙Ｐを搬送することができる。
【００４０】
ステープル台１０８に積載された転写紙Ｐは、一枚排紙されるごとに紙揃え用のジョガー１０９によって、紙端面が揃えられ、一部のコピー完了と共にステープラ１０６によって綴じられる。ステープラ１０６で綴じられた転写紙Ｐ群は、自重によってステープル完了排紙トレイ１１０に収納される。
【００４１】
一方、フィニシャ１００の通常の排紙トレイ１０４は、前後に移動可能な排紙トレイである。前後に移動可能な排紙トレイ１０４は、原稿毎、あるいは、画像メモリによってソーティングされたコピー部毎に、前後に移動し、簡易的に排出されてくるコピー紙を仕分けるものである。
【００４２】
本実施の形態にかかるカラーデジタル複合機１０００は、転写紙Ｐの両面に画像を作像可能である。転写紙Ｐの両面に画像を作像する場合は、各給紙トレイ８〜１０から給紙され作像された転写紙Ｐを排紙トレイ１０４側に導かないで、排紙ユニット１８の経路切り替えの為の分岐爪１１２を上側にセットすることで、一旦両面給紙ユニット１１１にストックする。その後、両面給紙ユニット１１１にストックされた転写紙Ｐは、再び各感光体１５に作像されたトナー画像を転写するために、反転された状態で両面給紙ユニット１１１から再給紙され、下側にセットされた分岐爪１１２を介して排紙トレイ１０４に導かれる。このように、転写紙Ｐの両面に画像を作成する場合に両面給紙ユニット１１１は使用される。また、画像の載った転写紙Ｐの裏面に印字を行なう際にも両面給紙ユニット１１１を用いて転写紙Ｐの裏表を変えることができる。
【００４３】
図２は、カラーデジタル複合機１０００のハードウェア構成を示すブロック図である。図２に示すように、このカラーデジタル複合機１０００は、コントローラ１１０１とプリンタ部３００及びスキャナ部２００とをＰＣＩ（Peripheral Component Interconnect）
バスで接続した構成となる。コントローラ１１０１は、カラーデジタル複合機１０００全
体の制御と描画、通信、操作部４００からの入力を制御するコントローラである。なお、プリンタ部３００又はスキャナ部２００には、誤差拡散やガンマ変換などの画像処理部分が含まれる。操作部４００は、スキャナ部２００で読み取られた原稿の原稿画像情報等をＬＣＤに表示するとともに操作者からの入力をタッチパネルを介して受け付ける操作表示部４００ａと、操作者からのキー入力を受け付けるキーボード部４００ｂとを有している。
【００４４】
コントローラ１１０１は、コンピュータの主要部であるＣＰＵ（Central Processing Unit）１１１１と、システムメモリ（ＭＥＭ−Ｐ）１１１２と、ノースブリッジ（ＮＢ）
１１１３と、サウスブリッジ（ＳＢ）１１１４と、ＡＳＩＣ（Application Specific Integrated Circuit）１１１６と、ローカルメモリ（ＭＥＭ−Ｃ）１１１７と、ハードディ
スクドライブ（ＨＤＤ）１１１８とを有し、ＮＢ１１１３とＡＳＩＣ１１１６との間をＡＧＰ（Accelerated Graphics Port）バス１１１５で接続した構成となる。また、ＭＥＭ
−Ｐ１１１２は、ＲＯＭ（Read Only Memory）１１１２ａと、ＲＡＭ（Random Access Memory）１１１２ｂとをさらに有する。
【００４５】
ＣＰＵ１１１１は、カラーデジタル複合機１０００の全体制御を行うものであり、ＮＢ１１１３、ＭＥＭ−Ｐ１１１２およびＳＢ１１１４からなるチップセットを有し、このチップセットを介して他の機器と接続される。
【００４６】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。
【００４７】
ＭＥＭ−Ｐ１１１２は、プログラムやデータの格納用メモリ、プログラムやデータの展開用メモリ、プリンタの描画用メモリなどとして用いるシステムメモリであり、ＲＯＭ１１１２ａとＲＡＭ１１１２ｂとからなる。ＲＯＭ１１１２ａは、ＣＰＵ１１１１の動作を制御するプログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。
【００４８】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインタフェース（Ｉ／Ｆ）部１１０４なども接続される。
【００４９】
ＡＳＩＣ１１１６は、画像処理用のハードウェア要素を有する画像処理用途向けのＩＣ（Integrated Circuit）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Direct Memory Access Controller）と、プリンタ部３００やスキャナ部２００との間でＰＣＩバスを介したデータ
転送を行うＰＣＩユニットとからなる。このＡＳＩＣ１１１６には、ＰＣＩバスを介してＦＣＵ（Fax Control Unit）１１２１、ＵＳＢ（Universal Serial Bus）１１２２、ＩＥＥＥ１３９４（the Institute of Electrical and Electronics Engineers 1394）インタフェース１１２３が接続される。
【００５０】
ＭＥＭ−Ｃ１１１７は、コピー用画像バッファ、符号バッファとして用いるローカルメモリであり、ＨＤＤ１１１８は、画像データの蓄積、ＣＰＵ１１１１の動作を制御するプ
ログラムの蓄積、フォントデータの蓄積、フォームの蓄積を行うためのストレージである。
【００５１】
ＡＧＰバス１１１５は、グラフィック処理を高速化するために提案されたグラフィックスアクセラレータカード用のバスインタフェースであり、ＭＥＭ−Ｐ１１１２に高スループットで直接アクセスすることにより、グラフィックスアクセラレータカードを高速にするものである。
【００５２】
次に、本実施の形態のカラーデジタル複合機１０００のコントローラ１１０１がプログラムに従って実現する特徴的な機能であるドキュメントボックス機能の選択時における画像加工処理について説明する。
【００５３】
ここで、図３はドキュメントボックス機能の選択時における画像加工処理にかかる機能構成を示すブロック図、図４は画像加工処理の流れを示すフローチャートである。図３に示すように、カラーデジタル複合機１０００は、ＣＰＵ１１１１がプログラムに従うことにより、原稿画像情報生成手段２１と、元原稿情報取得手段２２と、画像内容解析手段２３と、加筆情報取得手段２４と、処理対象ブロック選択手段２５と、ブロック対応設定記憶手段２６と、候補提示手段２７と、選択受付手段２８と、画像加工手段２９とを実現する。
【００５４】
原稿画像情報生成手段２１は、スキャナ部２００を動作させて読み取った原稿に基づいて原稿画像情報を生成する（図４に示すステップＳ１）。こうして生成された原稿画像情報は、ドキュメントボックス機能の選択時においては、ＨＤＤ１１１８に記憶される場合と、ＨＤＤ１１１８に記憶されている原稿画像情報の加筆修正に用いられる場合とがある。ここでは、ＨＤＤ１１１８に記憶されている原稿画像情報の加筆修正のために、原稿画像情報が生成されたものとする。
【００５５】
ここで、ＨＤＤ１１１８に記憶されている原稿画像情報の加筆修正に用いられる原稿の一例を図５に示す。図５に示すように、原稿Ｄは、全体がシート状に形成されたもので、例えば、Ａ４判サイズのものが用いられている。これらの原稿Ｄには、カラーデジタル複合機１０００のＨＤＤ１１１８に格納されている各種の原稿画像情報が１画面単位で各々プリンタ部３００により予め印刷されているとともに、後述するように、その印刷時にカラーデジタル複合機１０００のＨＤＤ１１１８内の原稿画像情報であることを示すリンク情報が２次元コードＣの形態で印刷されている。
【００５６】
原稿Ｄに印刷されているリンク情報（２次元コードＣ）について説明する。この２次元コードＣは前述したようにその原稿Ｄに印刷されている原稿画像情報がＨＤＤ１１１８内の原稿画像情報であることを示すものであるが、その２次元コードＣが表現するものとしては、例えば、文書名、ページ番号、装置名、そのＩＰアドレス等があり、「￥￥装置名（装置のＩＰアドレス）￥ドライブ名￥フォルダ名￥文書名￥ページ」のようなディレクトリ構造により、その文書（最小は、１ページ分）の格納してある個所（情報蓄積個所）を一義的に特定し得るものであれば良い。
【００５７】
また、リンク情報が格納されるコードシンボルとしては、１次元バーコード等であってもよいが、文書ＩＤ用として多種多様にわたる文書を分類する必要があり、１次元バーコード等では分類数が不足してしまうことを考えると、本実施の形態のように格段に容量の大きい２次元コードＣを用いることが望ましい。
【００５８】
元原稿情報取得手段２２は、原稿画像情報生成手段２１で生成された原稿画像情報に付与されているリンク情報に従い、オリジナルの原稿画像情報（元原稿画像情報）をＨＤＤ
１１１８から取得する（図４に示すステップＳ２）。より詳細には、元原稿情報取得手段２２は、読み取った原稿画像情報の予め決められた位置に付与されている２次元コードＣをデコードすることによりリンク情報を取得し、取得したリンク情報に従ってオリジナルの原稿画像情報をＨＤＤ１１１８から取得する。
【００５９】
画像内容解析手段２３は、元原稿情報取得手段２２で取得されたオリジナルの原稿画像情報の内容を解析する（図４に示すステップＳ３）。より具体的には、元原稿情報取得手段２２で取得されたオリジナルの原稿画像情報の領域抽出処理を行うことにより、オリジナルの原稿画像情報の画像構成を定義する画像構成ブロックの階層構造を求める。ここで、画像構成ブロックとは、原稿（原稿画像情報）Ｄ上の文字、形態素、文、段落、図、写真などである。領域抽出処理は、オリジナルの原稿画像情報に対して光学式文字認識を行うＯＣＲ処理などの各種の画像解析処理を実行して原稿画像の画像属性を表す様々な画像特性値を算出した後、算出された各種の画像特性値に基づいて画像構成ブロックの抽出を行う。図６は、図５に示すオリジナルの原稿画像情報における画像構成ブロックの抽出例である。なお、オリジナルの原稿画像情報の内容（画像構成ブロック）をメタ情報としてオリジナルの原稿画像情報に持たせるようにしても良い。
【００６０】
加筆情報取得手段２４は、原稿画像情報生成手段２１で生成された原稿画像情報と、元原稿情報取得手段２２で取得したオリジナルの原稿画像情報との差分をとり、この差分を加筆情報とする（図４に示すステップＳ４）。
【００６１】
処理対象ブロック選択手段２５は、加筆情報取得手段２４で取得した加筆情報の原稿画像情報上の位置に基づき、画像内容解析手段２３で解析した画像構成ブロックの中から処理対象となる画像構成ブロックを選択する（図４に示すステップＳ５）。
【００６２】
ブロック対応設定記憶手段２６は、例えばＨＤＤ１１１８に、図７に示すような設定テーブルＴを記憶する。設定テーブルＴは、各画像構成ブロックに対して処理可能な１つまたは複数の設定処理項目（例えば、削除、強調表示、色変更、拡大／縮小など）と、各設定処理項目の処理スコアとを記憶したものである。ここで、処理スコアは、設定処理項目が過去に選択された回数である。
【００６３】
候補提示手段２７は、処理対象ブロック選択手段２５で選択された１つまたは複数の処理対象となる画像構成ブロックに対応付けられている設定処理項目を設定テーブルＴから取得し、取得した設定処理項目を処理スコア順に並べ替え、処理スコアの大きいものから候補として操作表示部４００ａに提示する（図４に示すステップＳ６）。
【００６４】
選択受付手段２８は、ユーザによる操作部４００に提示された設定処理項目から一の設定処理項目の選択を操作部４００を介して受け付ける（図４に示すステップＳ７）。なお、ユーザにより設定処理項目が選択された場合、設定テーブルＴにおける選択された設定処理項目の処理スコアがカウントアップされる。これによれば、処理対象となる画像構成ブロックに対応付けられている設定処理項目を、各設定処理項目が過去に選択された回数である処理スコアの大きいものから順に並べ替えて処理候補として表示することにより、同一の画像構成ブロックに対しては同じような処理が施されることが多いと考えられるので、処理スコアの大きいものをすぐに選択することができるようにすることで操作者による選択が容易になる。
【００６５】
なお、本実施の形態においては、設定処理項目が過去に選択された回数である処理スコア順に並べ替えて提示するようにしたが、これに限るものではなく、例えば過去に選択された順番が新しいものから順に並べ替えるようにしても良い。これによれば、処理対象となる画像構成ブロックに対応付けられている設定処理項目を選択順番が新しいものから順
に並べ替えて処理候補として表示することにより、同一の画像構成ブロックに対しては同じような処理が施されることが多いと考えられるので、選択順番が新しいものをすぐに選択することができるようにすることで操作者による選択が容易になる。
【００６６】
画像加工手段２９は、選択受付手段２８で選択を受け付けた設定処理項目に従ってリンク情報に基づいて取得したＨＤＤ１１１８内のオリジナルの原稿画像情報の処理対象となる画像構成ブロックを加工し、ＨＤＤ１１１８にオリジナルとして格納する（図４に示すステップＳ８）。
【００６７】
ここで、図８は複数の処理対象となる画像構成ブロックがある場合における処理指示選択処理および画像加工処理の流れを示すフローチャートである。図８に示すように、一の処理対象となる画像構成ブロックを抽出し（ステップＳ１１）、当該画像構成ブロックに対応付けられている設定処理項目を処理スコアの大きいものから候補として操作部４００に提示し（ステップＳ１２）、ユーザが提示された設定処理項目から一の設定処理項目を選択した場合に（ステップＳ１３のＹｅｓ）、選択された処理指示に従い、リンク情報に基づいて取得したＨＤＤ１１１８内のオリジナルの原稿画像情報を加工し、ＨＤＤ１１１８にオリジナルとして格納する（ステップＳ１４）。ステップＳ１１〜Ｓ１４の処理は、全ての処理対象となる画像構成ブロックについて処理されるまで（ステップＳ１５のＹｅｓ）、繰り返される。つまり、加筆箇所が複数ある場合には、画像構成ブロック毎に順に設定処理項目が提示されることになる。
【００６８】
ここで、候補提示手段２７、選択受付手段２８および画像加工手段２９における処理の一例について説明する。図９は原稿Ｄ上の加筆情報の一例を示す正面図である。図９に示す例は、例えば、画像構成ブロック「文字」に対して加筆した場合（図９のＸ）を示す。本実施の形態のカラーデジタル複合機１０００は、図９に示すような加筆された原稿Ｄを読み取って上述した処理に従うことにより、図１０に示すように、処理対象となる画像構成ブロックＡを示したオリジナルの原稿画像情報Ｂとともに、当該画像構成ブロックに対応付けられている設定処理項目Ｐを操作部４００にポップアップ表示する。図１０に示す例によれば、“削除”が最上位に表示されており、最優先の設定処理項目として位置づけられている。ユーザは、操作部４００に提示された設定処理項目Ｐから一の設定処理項目を選択する。
【００６９】
例えば、図１０に示す設定処理項目Ｐから“削除”が選択された場合には、選択受付手段２８は削除処理の選択を受け付け、画像加工手段２９は図１１に示すように削除指示された画像構成ブロックを削除する。
【００７０】
つまり、本実施の形態においては、加筆された画像構成ブロックに対応付けられている設定処理項目を選択させることで、ＨＤＤ１１１８に記憶されている原稿画像情報の加筆修正を行うようにしたので、ＨＤＤ１１１８に記憶されている原稿画像情報の加筆修正のための処理指示に際して少ない手順で効率的に処理を指示することが可能となる。
【００７１】
このように本実施の形態によれば、元原稿画像情報の校正を紙原稿上で行った場合の原稿画像情報と元原稿画像情報との差分をとることにより取得された加筆情報の原稿画像情報上の位置に基づいて処理対象となる画像構成ブロックを選択し、選択された１つまたは複数の処理対象となる画像構成ブロックに対応付けられている設定処理項目を処理候補として提示し、提示された設定処理項目から一の設定処理項目の選択を受け付け、選択された設定処理項目に従って元原稿画像情報の処理対象となる画像構成ブロックを加工することにより、元原稿画像情報の校正を紙原稿上で行った場合における利用者の意図を元原稿画像情報に反映させることができるようになるので、紙原稿から元原稿画像情報に対する情報付加または削除の利便性を向上させることができる。
【００７２】
なお、本実施の形態においては、カラーデジタル複合機１０００に備えられるＨＤＤ１１１８内のオリジナルの原稿画像情報を加工するようにしたが、これに限るものではなく、カラーデジタル複合機１０００に対しネットワークＩ／Ｆ部１１０４、ＵＳＢ１１２２、ＩＥＥＥ１３９４インタフェース１１２３などを介して接続される外部機器に設けられたＨＤＤなどの記憶部内のオリジナルの原稿画像情報を加工することもできる。
【００７３】
なお、本実施の形態のカラーデジタル複合機１０００で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【００７４】
また、本実施の形態によるカラーデジタル複合機１０００で実行されるプログラムを、インターネット等のネットワークに接続されたコンピュータ上に格納し、ネットワーク経由でダウンロードさせることにより提供するように構成しても良い。また、本実施の形態のカラーデジタル複合機１０００で実行されるプログラムをインターネット等のネットワーク経由で提供または配布するように構成しても良い。
【００７５】
さらに、本実施の形態においては、画像処理装置としてＭＦＰと称されるカラーデジタル複合機１０００を適用したが、これに限るものではない。例えば、図１２に示すように、画像印刷装置であるプリンタ装置１２０２および画像読取装置であるスキャナ装置１２０４をパーソナルコンピュータ１２０１にケーブル１２０３を介して接続するとともに、この画像処理装置であるパーソナルコンピュータ１２０１のＨＤＤなどの記憶装置（図示せず）に所定のプログラムをインストールし、このプログラムに従ってパーソナルコンピュータ１２０１のＣＰＵ（図示せず）を動作させることによっても、上述したような各種の作用効果と同様の作用効果を得ることができる。
【図面の簡単な説明】
【００７６】
【図１】本発明の実施の一形態にかかるカラーデジタル複合機を概略的に示す構成図である。
【図２】カラーデジタル複合機のハードウェア構成を示すブロック図である。
【図３】画像加工処理にかかる機能構成を示すブロック図である。
【図４】画像加工処理の流れを示すフローチャートである。
【図５】原稿画像情報の加筆修正に用いられる原稿の一例を示す正面図である。
【図６】画像構成ブロックの抽出例を示す模式図である。
【図７】設定テーブルのデータ構成を示す模式図である。
【図８】処理指示選択処理および画像加工処理の流れを示すフローチャートである。
【図９】原稿上の加筆情報の一例を示す正面図である。
【図１０】設定処理項目が表示された状態を示す正面図である。
【図１１】処理結果を示す正面図である。
【図１２】画像処理システムの概略構成例を示すブロック図である。
【符号の説明】
【００７７】
２１      原稿画像情報生成手段
２２      元原稿情報取得手段
２３      画像内容解析手段
２４      加筆情報取得手段
２５      処理対象ブロック選択手段
２６      設定記憶手段
２７      候補提示手段
２８      選択受付手段
２９      画像加工手段
１０００，１２０１    画像処理装置
Ｃ      リンク情報
Ｄ      原稿
【図１】
2008236249.tif 000003
【図２】
2008236249.tif 000004
【図３】
2008236249.tif 000005
【図４】
2008236249.tif 000006
【図５】
2008236249.tif 000007
【図６】
2008236249.tif 000008
【図７】
2008236249.tif 000009
【図８】
2008236249.tif 000010
【図９】
2008236249.tif 000011
【図１０】
2008236249.tif 000012
【図１１】
2008236249.tif 000013
【図１２】
2008236249.tif 000014